(57)【要約】【課題】ランプが発する熱及び紫外線に起因するケーブルの劣化を抑制することができ、かつ、ケーブルがランプに接触しないようにすることができるランプユニット及びこれを備える投写型映像表示装置を提供する。【解決手段】ランプユニット２は、発光管３１を含むランプ３と、ランプ３に電力を供給するためにランプ３に接続されたケーブル３６と、ケーブル３６に取り付けられているコネクタ３７と、ランプ３及びコネクタ３７が設けられるランプホルダであるランプハウジング４とを備えている。そして、ランプハウジング４と発光管３１との間の空間を区切る壁体部材８が設けられ、ケーブル３６が、壁体部材８とランプハウジング４との間の空間に設けられている。【選択図】図１１
2012083622.tif 000002
【特許請求の範囲】
【請求項１】
発光管を含むランプと、
前記ランプに電力を供給するために前記ランプに接続されたケーブルと、
前記ケーブルに取り付けられているコネクタと、
前記ランプ及び前記コネクタが設けられるランプホルダとを備えるランプユニットであって、
前記ランプホルダと前記発光管との間の空間を区切る壁体部材が設けられ、前記ケーブルが、前記壁体部材と前記ランプホルダとの間の空間に設けられている
ことを特徴とするランプユニット。
【請求項２】
前記ランプホルダに対して着脱可能な前記壁体部材が、前記ランプホルダに対して固定されている
ことを特徴とする請求項１に記載のランプユニット。
【請求項３】
前記ランプホルダは、前記ランプが内部に収容されるランプハウジングであって、
前記ランプハウジングには、このランプハウジングを貫通する開口が設けられ、
前記壁体部材により、前記開口の少なくとも一部が覆われている
ことを特徴とする請求項１または２に記載のランプユニット。
【請求項４】
請求項１〜３のいずれか一項に記載のランプユニットを備え、前記ランプを映像表示用の光源として用いることを特徴とする投写型映像表示装置。
【請求項５】
気流を生じさせるファンを備え、
前記壁体部材が、前記ファンにより生じる前記気流の流路を形成する
ことを特徴とする請求項４に記載の投写型映像表示装置。
【請求項６】
前記壁体部材が前記ランプの冷却効率を向上させるものであることを特徴とする請求項４または５に記載の投写型映像表示装置。
【発明の詳細な説明】
【技術分野】
【０００１】
本願発明は、発光管を含むランプと、ランプに電力を供給するためにランプに接続されたケーブルと、ケーブルに取り付けられているコネクタと、ランプ及びコネクタが設けられるランプホルダとを備えるランプユニット、及びこれを備える投写型映像表示装置に関する。
【背景技術】
【０００２】
一般に、投写型映像表示装置であるプロジェクタは、発光管を含むランプ、ランプを保持するランプホルダ、及びランプに接続されたケーブルに取り付けられるとともにランプホルダに設けられているコネクタ等により構成されたランプユニットを備えている（例えば、特許文献１参照）。
【０００３】
特許文献１に記載される投写型映像表示装置であるプロジェクタにおいては、コネクタケーブルを備えるコネクタと、光源ランプと、リフレクタと、ランプハウジングとを備えた光源装置が開示されている。そして、特許文献１に記載のプロジェクタにおいては、ランプハウジングが備えるコネクタ固定部にコネクタが収納されて、同ランプハウジングが備える端子固定部にコネクタケーブルがネジ止め固定されることが開示されている。
【先行技術文献】
【特許文献】
【０００４】
【特許文献１】特開２００３−２８７８１２号公報
【発明の概要】
【発明が解決しようとする課題】
【０００５】
ところで、ランプとコネクタとを接続するケーブルは、コネクタの配置の自由度を向上させるために、また、ランプまたはコネクタをランプホルダに設ける作業を容易なものとするためには、柔軟で長いケーブルであることが好ましい。
【０００６】
しかしながら、柔軟で長いケーブルは、発光管に接触してしまうおそれがある。また、ケーブルが発光管に接触しないように、結束バンドを用いてケーブルを束ねて固定することも知られているが、発光管が発する熱及び紫外線によりケーブル及び結束バンドが劣化してしまうという問題があった。
【０００７】
本発明は、こうした実情に鑑みてなされたものであり、その目的は、発光管が発する熱及び紫外線に起因するケーブルの劣化を抑制することができ、かつ、ケーブルが発光管に接触しないようにすることができるランプユニット及びこれを備える投写型映像表示装置を提供することにある。
【課題を解決するための手段】
【０００８】
以下、上記目的を達成するための手段及びその作用効果について記載する。
請求項１に記載の発明は、発光管を含むランプと、前記ランプに電力を供給するために前記ランプに接続されたケーブルと、前記ケーブルに取り付けられているコネクタと、前記ランプ及び前記コネクタが設けられるランプホルダとを備えるランプユニットであって、前記ランプホルダと前記発光管との間の空間を区切る壁体部材が設けられ、前記ケーブルが、前記壁体部材と前記ランプホルダとの間の空間に設けられていることを特徴とする。
【０００９】
上記構成によれば、ランプホルダと発光管との間の空間を区切る壁体部材が設けられ、ケーブルが、壁体部材とランプホルダとの間の空間に設けられている。従って、壁体部材により、発光管が発する熱及び紫外線に起因するケーブルの劣化を抑制することができ、かつ、ケーブルが発光管に接触しないようにすることができる。
【００１０】
請求項２に記載の発明は、請求項１に記載のランプユニットにおいて、前記ランプホルダに対して着脱可能な前記壁体部材が、前記ランプホルダに対して固定されていることを特徴とする。
【００１１】
上記構成によれば、ランプホルダに対して着脱可能な壁体部材が、ランプホルダに対して固定されている。このため、壁体部材がランプホルダから取り外されないようにすることができる。
【００１２】
請求項３に記載の発明は、請求項１または２に記載のランプユニットにおいて、前記ランプホルダは、前記ランプが内部に収容されるランプハウジングであって、前記ランプハウジングには、このランプハウジングを貫通する開口が設けられ、前記壁体部材により、前記開口の少なくとも一部が覆われていることを特徴とする。
【００１３】
上記構成によれば、壁体部材により、ランプハウジングに設けられた開口の少なくとも一部が覆われている。このため、発光管が発した光が、開口を通してランプハウジングの内部から外部に漏れることを抑制することができる。
【００１４】
請求項４に記載の発明は、請求項１〜３のいずれか一項に記載のランプユニットを備え、前記ランプを映像表示用の光源として用いることを特徴とする。
上記構成によれば、投写型映像表示装置は、請求項１〜３のいずれか一項に記載のランプユニットを備え、ランプを映像表示用の光源として用いる。このため、ランプの寿命が尽きて点灯ができなくなったときには、ランプユニットを交換することにより、点灯可能なランプに交換することができる。
【００１５】
請求項５に記載の発明は、請求項４に記載の投写型映像表示装置において、気流を生じさせるファンを備え、前記壁体部材が、前記ファンにより生じる前記気流の流路を形成することを特徴とする。
【００１６】
上記構成によれば、投写型映像表示装置は、気流を生じさせるファンを備え、壁体部材が、ファンにより生じる気流の流路を形成する。このため、壁体部材が設けられていない場合に比べて、ケーブルを効果的に冷却することができる。特に、請求項３に記載される発明のようにランプホルダであるランプハウジングに開口が設けられている場合には、ランプハウジングの内部は高温であるため、開口を通してランプハウジングの外部から内部に気体を流入させることにより、ケーブルをより効果的に冷却することができる。
【００１７】
請求項６に記載の発明は、請求項４または５に記載の投写型映像表示装置において、前記壁体部材が前記ランプの冷却効率を向上させるものであることを特徴とする。
上記構成によれば、壁体部材がランプの冷却効率を向上させるものであるため、壁体部材がランプホルダに設けられていない場合に比べて、ランプを効果的に冷却することができる。
【発明の効果】
【００１８】
本発明によれば、壁体部材により、発光管が発する熱及び紫外線に起因するケーブルの劣化を抑制することができ、かつ、ケーブルが発光管に接触しないようにすることができる。
【図面の簡単な説明】
【００１９】
【図１】（ａ）及び（ｂ）は、本発明の一実施形態に係る投写型映像表示装置であるプロジェクタを示す斜視図。
【図２】（ａ）及び（ｂ）は、同実施形態に係るプロジェクタが備えるランプユニットを示す斜視図。
【図３】（ａ）及び（ｂ）は、同実施形態に係るランプユニットに含まれるランプを示す斜視図。
【図４】（ａ）及び（ｂ）は。同実施形態に係るランプホルダであるランプハウジングを示す斜視図。
【図５】同実施形態に係るランプハウジングを示す図であって、（ａ）は平面図、（ｂ）及び（ｃ）は側面図、（ｄ）は下面図。
【図６】同実施形態に係るランプハウジングにランプ保持用金具が設けられた状態を示す斜視図。
【図７】同実施形態に係るランプ保持用金具によりランプの固定が保持された状態を示す斜視図。
【図８】同実施形態に係るランプハウジングに対する外枠部材の取り付けを説明するための斜視図。
【図９】同実施形態に係るランプハウジングに設けられる壁体部材を示す斜視図。
【図１０】同実施形態に係るランプハウジングに対する壁体部材の取り付けを説明するための斜視図。
【図１１】同実施形態に係るランプユニットを示す下面図。
【図１２】同実施形態に係るランプユニットの一部を断面で示す断面図であって、図１１におけるＡ−Ａ線で示す部分の断面図。
【図１３】同実施形態に係るプロジェクタにおいて、ケーブルを冷却する気流を説明するための模式断面図。
【図１４】本発明の変形例に係る壁体部材を示す斜視図。
【図１５】同変形例に係る壁体部材がランプハウジングに取り付けられた状態を示す断面図。
【発明を実施するための形態】
【００２０】
以下、本発明を具体化した一実施形態について図面を参照しながら説明する。なお、以下の説明において、上方及び下方を含む上下方向は、図中において矢印Ｚが示す方向であって、上下方向は鉛直方向に限定されない。また、上下方向に直交する前方及び後方を含む前後方向を、図中において矢印Ｘで示すとともに、上下方向及び前後方向に直交する右方及び左方を含む左右方向を、図中において矢印Ｙで示す。
【００２１】
図１（ａ）及び（ｂ）に示すように、プロジェクタ１は、電子部品や光学部品等を内蔵する筐体１０を備えた投写型映像表示装置であって、スクリーンや壁等に映像を投写して表示する。筐体１０には、筐体１０の内部を開放及び閉鎖するランプカバー１１が設けられている。
【００２２】
開閉するランプカバー１１は、図１（ａ）に示す閉状態と、図１（ｂ）に示す開状態とに遷移する。図１（ｂ）に示すように、筐体１０の内部にはランプユニット２が設けられる。ランプカバー１１が開状態となることにより、筐体１０の内部に設けられたランプユニット２を取り外すこと、及び、筐体１０の内部にランプユニット２を取り付けることができる。即ち、ランプユニット２が交換できるように構成されている。
【００２３】
図２（ａ）及び（ｂ）に示すように、ランプユニット２に含まれるランプ３は、箱形のランプハウジング４に収容される。図３に、図２に示したランプハウジング４の図示を省略して、ランプ３の斜視図を示す。また、図４及び図５に、ランプハウジング４のみを図示する。
【００２４】
図３（ａ）及び（ｂ）に示すように、映像表示用の光源であるランプ３は、放電により発光する発光管３１と、発光管３１が発した光を前方に反射するリフレクタ３２と、発光管３１を支持する発光管支持部材３３と、リフレクタ３２の前側端部に設けられたカバーガラス３４とを備える放電ランプである。
【００２５】
発光管３１には、例えば水銀、及びハロゲンガスまたはハロゲン化物の混合物である発光体が封入されている。ランプ３に供給される電力により、発光管３１に封入された発光体に高電圧が付加されて、発光管３１の内部で絶縁破壊が生じることによって放電が発生する。このようにして発光管３１の内部で放電が発生することにより、ランプ３の発光管３１が光を発する。発光管３１は前後方向に延びた形状を有している。発光管３１の一部はリフレクタ３２に挿入されて、発光管３１の中央部及び前側端部がリフレクタ３２の内部に設けられ、発光管３１の後側端部はリフレクタ３２の外部に設けられている。
【００２６】
リフレクタ３２は、発光管３１が発した光を反射する反射鏡であって、発光管３１を覆うように設けられている。リフレクタ３２の内部において発光管３１が発した光は、リフレクタ３２が有する内側表面３２ａによって前方に反射される。内側表面３２ａは、例えば回転放物面や回転楕円面等により形成された面である。一方、リフレクタ３２の外部において発光管３１が発した光、即ち、発光管３１の後側端部が発した光は、前方に反射されずにランプ３の後方に出射される。
【００２７】
発光管支持部材３３は、リフレクタ３２の外部であって、リフレクタ３２の後側端部に設けられている。発光管支持部材３３が発光管３１の後側端部を支持することにより、リフレクタ３２に対する発光管３１の固定が保持されている。
【００２８】
リフレクタ３２の前側端面に設けられたカバーガラス３４は、リフレクタ３２とともに発光管３１を覆うように設けられている。発光管３１の前方に設けられたカバーガラス３４により、発光管３１が破裂した場合であって、発光管３１の破片が飛散することが抑制されている。また、図３（ａ）に示すように、リフレクタ３２の前端の一部は、後方に窪ませて設けられ、カバーガラス３４と後方に窪んだリフレクタ３２の前端とにより通気口３５が形成されている。本実施形態においては、ランプ３の上下左右に通気口３５が設けられている。
【００２９】
ランプ３には、図１に示す筐体１０の内部に設けられた電源回路（図示略）からランプ３に電力を供給するための複数本のケーブル３６が接続されている。ケーブル３６は、例えば、図３（ａ）に示すようにランプ３のリフレクタ３２にねじ止めにより接続されるとともに、図３（ｂ）に示すようにランプ３の発光管支持部材３３にねじ止めにより接続されている。ケーブル３６は、電線と、この電線を被覆する絶縁材とにより構成された柔軟なコードである。ケーブル３６の一端はランプ３に接続されるとともに、ケーブル３６の他端にはコネクタ３７が取り付けられている。コネクタ３７が、図２に示すランプハウジング４の所定の位置に対して固定されるように、ケーブル３６は十分な長さを有している。
【００３０】
コネクタ３７は、筐体１０の内部にランプユニット２が取り付けられることにより、図１に示す筐体１０の内部に設けられたコネクタ（図示略）と接続される。このようにして、筐体１０の内部に設けられた電源回路とケーブル３６とが電気的に接続されて、電源回路からケーブル３６を介してランプ３に発光管３１が放電するための電力が供給可能となる。なお、図中において、放電を生じさせるために発光管３１の内部に設けられた電極、及びこの電極とケーブル３６を構成する電線とを接続する電極線の図示は省略されている。
【００３１】
図４（ａ）及び（ｂ）に示すように、図３に示すランプ３が収容されるランプハウジング４は、ランプ３の左右方向及び上方及び後方を覆うように形成されている。即ち、ランプハウジング４は、左右方向において間隔を空けて設けられた右側壁部４１及び左側壁部４２と、右側壁部４１及び左側壁部４２の各々の上側端部を接続する上側壁部４３と、図４（ｂ）に示す、右側壁部４１及び左側壁部４２及び上側壁部４３の各々の後側端部を接続する後側壁部４４とを有している。また、ランプハウジング４は、右側壁部４１及び左側壁部４２及び上側壁部４３の各々の前側端部を接続するとともに、開口４５ａが形成された前側壁部４５を有している。開口４５ａは、ランプハウジング４の内部に収容されたランプ３が発する光を、ランプハウジング４の内部から外部に通すための開口である。
【００３２】
図５を参照しながら、ランプハウジング４が有する壁部４１〜４５の各々を説明する。
図５（ｃ）に示すように、右側壁部４１の前側端部には、ランプハウジング４を貫通する通気用開口４１ａ及び金具掛止用開口４１ｂが形成されている。また、右側壁部４１の後側端部には開口４１ｃが形成されている。そして、右側壁部４１には、右側壁部４１の下端の一部を窪ませて形成された溝４１ｄが形成されている。また、図５（ｂ）に示すように、左側壁部４２には、右側壁部４１と同様に、ランプハウジング４を貫通する通気用開口４２ａ及び金具掛止用開口４２ｂが形成されている。
【００３３】
図５（ａ）に示すように、上側壁部４３には、ランプユニット２の交換作業を行う作業者がランプハウジング４を掴みやすいように把持部４３ａが形成されている。図５（ｂ）に示すように、把持部４３ａは、ランプハウジング４の一部を上方に突出させて設けられている。また、上側壁部４３の前側端部には、外枠掛止用突起４３ｂが形成されている。そして、上側壁部４３の後側端部には、ランプハウジング４を貫通する開口４３ｃが形成されている。また、図５（ｄ）に示すように、ランプハウジング４の内部において、上側壁部４３の後側端部には、ねじ穴４３ｄが形成されている。
【００３４】
図５（ｄ）に示すように、後側壁部４４及び前側壁部４５は、前後方向において間隔を空けて設けられている。前側壁部４５にはランプ３の前端が押しつけられる。後側壁部４４は、ランプハウジング４にランプ３が収容されたときであっても、ランプ３の後側端部と間隔が空くように設けられている。具体的には、ランプユニット２の組み立て作業を行う作業者が、その手やドライバをランプ３と後側壁部４４との間に入れることができるように構成されている。
【００３５】
また、図５（ａ）に示すように、ランプハウジング４の右側端部かつ後側端部には、コネクタ固定部４６が設けられるとともに、ランプハウジング４の左側端部かつ後側端部には、基板載置部４７が設けられている。コネクタ固定部４６の内部は、開口４１ｃを介してランプハウジング４の内部と連続している。また、コネクタ固定部４６及び基板載置部４７の内部は、上下方向において開口している。
【００３６】
以上のように構成されたランプハウジング４は、その内部においてランプ３が固定された状態を保持するランプホルダである。図２（ａ）に示すように、ランプ３を保持するランプハウジング４の前側端部には、ランプ３の脱落を防止する外枠部材５が設けられる。また、ランプハウジング４の後側端部には、コネクタ固定部４６の上側に設けられた開口を覆う開口カバー６１がねじ止めにより固定されるとともに、ランプユニット２に係る情報が記憶された回路基板であって基板載置部４７に載置されたＩＣチップ６２がねじ止めにより固定される。
【００３７】
また、図２（ｂ）に示すように、ランプハウジング４の内部において、ランプハウジング４の前側端部とランプ３の前側端部との間には、ランプ３を保持するためのランプ保持用金具７が設けられる。さらに、ランプハウジング４の内部において、ランプハウジング４の後側端部には、壁体部材８が設けられる。
【００３８】
以下、図６〜図１０を参照しながら、ランプユニット２の組み立て工程の一例を説明する。
図６に示すように、ランプハウジング４には、ランプ３が収容される前に、ランプ保持用金具７が設けられる。このとき、ランプ保持用金具７の一部が、図５（ｃ）及び（ｂ）に示した金具掛止用開口４１ｂ，４２ｂに引っ掛けられることにより、ランプハウジング４に対してランプ保持用金具７が固定される。
【００３９】
次に、図７に示すように、ランプ保持用金具７が固定されたランプハウジング４に、ランプ３を下方から入れる。ランプハウジング４に入れられたランプ３のリフレクタ３２は、板ばねとして構成されたランプ保持用金具７により左右方向に押さえつけられる。また、ランプ３がランプ保持用金具７により適切に押さえつけられた後に、コネクタ３７をコネクタ固定部４６に設ける。このとき、コネクタ３７に接続されたケーブルは、図６に示す開口４１ｃに通される。
【００４０】
以上のようにして、ランプハウジング４にランプ３が収容されると、通気用開口４２ａが、左方から見て、図３に示すランプ３の左側端部に設けられた通気口３５に重なる。同様に、図６に示す通気用開口４１ａが、右方から見て、図３（ａ）に示すランプ３の右側端部に設けられた通気口３５に重なる。
【００４１】
図８に示すように、ランプハウジング４にランプ３が収容された後に、外枠部材５を取り付ける。なお、本実施形態においては、外枠部材５をランプハウジング４に取り付けるときには、ランプ３の右側端部及び左側端部に設けられた通気口３５に風向板６３ａを差し込んで風向調整部材６３をランプハウジング４に設けた後に、ランプハウジング４に対して外枠部材５を設ける。
【００４２】
金属板により形成された風向調整部材６３は、通気口３５に差し込まれて、ランプ３の内部に向けて延びる風向板６３ａを含んでいる。本実施形態においては、ランプ３の右側端部に設けられた通気口３５と、ランプ３の左側端部に設けられた通気口３５とに、それぞれ風向調整部材６３が設けられる。従って、右側端部に設けられた通気口３５を通してランプ３内に冷却風が流入する場合であっても、左側端部に設けられた通気口３５を通してランプ３内に冷却風が流入する場合であっても、発光管３１に適切に冷却風を案内することができる。
【００４３】
風向調整部材６３と同様に金属板により形成された外枠部材５は、左右方向に延びる平板状の基部５１と、基部５１に対して屈曲させて形成されるとともに基部５１の右側端部に接続された右側枠部５２と、基部５１に対して屈曲させて形成されるとともに基部５１の左側端部に接続された左側枠部５３とを有している。
【００４４】
基部５１の前側端部には、基部５１に対して上方に屈曲させて形成された四角枠部５４が設けられている。四角枠部５４の上端が、後方に折り曲げられて形成されることにより、四角枠部５４は、ランプハウジング４の上側壁部４３の前側端部に設けられた外枠掛止用突起４３ｂに引っ掛かって止められる掛止部５４ａを有している。
【００４５】
図２（ｂ）に示すように、基部５１には開口５１ａが形成されている。この開口５１ａは、下方から見てランプ３の下側端部に設けられた通気口３５と重なる位置に設けられている。また、基部５１と同様に、左側枠部５３には開口５３ａが形成されるともに、図２（ａ）に示すように、右側枠部５２にも開口５２ａが形成されている。開口５２ａは、右方から見てランプ３の右側端部に設けられた通気口３５と重なる位置に設けられている。また、開口５３ａは、左方から見てランプ３の左側端部に設けられた通気口３５と重なる位置に設けられている。
【００４６】
開口５１ａ，５２ａ，５３ａには、それぞれ、格子状に形成された格子部材５５が設けられている。格子部材５５は、例えば、金属製の網であるメッシュにより形成されて、スポット溶接により外枠部材５に固定されている。このようにして、発光管３１が破裂した場合であって、発光管３１の破片がランプユニット２の外部に飛散することが抑制されている。
【００４７】
図２に示すように、右側枠部５２及び左側枠部５３は、ねじ５６を用いてランプハウジング４に対して固定される。ねじ５６により、右側枠部５２及び左側枠部５３とともに、風向調整部材６３がランプハウジング４に対して固定される。ランプハウジング４に外枠部材５を取り付けた後に、図２（ａ）に示すように、ランプハウジング４に開口カバー６１とＩＣチップ６２とが設けられる。また、図２（ｂ）に示すように、コネクタ３７がねじ３７ａを用いてランプハウジング４に固定される。
【００４８】
そして、図２（ｂ）に示すように、コネクタ３７がコネクタ固定部４６に設けられた後に、ランプハウジング４に壁体部材８が設けられる。壁体部材８は、例えば、熱遮断性及び紫外線遮断性に優れた樹脂成形体（例えば、液晶ポリマー（ＬＣＰ））により形成されている。
【００４９】
図９に示すように、壁体部材８は、ランプハウジング４の内部を仕切る壁部８１と、図５（ｃ）に示した溝４１ｄに引っ掛けられる掛止部８２と、図５（ｄ）に示したランプハウジング４の上側壁部４３に当たって接する当接部８３と、壁体部材８を貫通する貫通孔８４と、図５（ｄ）に示した開口４３ｃに差し込まれる突起８５とを有している。貫通孔８４及び突起８５は当接部８３に設けられている。また、壁体部材８は、図７に示すケーブル３６を引っ掛けることが可能な掛止突起８６を有している。
【００５０】
図１０に示すように、壁体部材８は、当接部８３を壁体部材８の上側端部とし、掛止突起８６を壁体部材８の前側端部として、ランプ３が設けられるランプハウジング４に取り付けられる。ランプハウジング４への壁体部材８の取り付けは、貫通孔８４にねじ８ａを差し込むとともにねじ穴４３ｄにねじ８ａを嵌め合せることにより行われる。即ち、ランプハウジング４と別体により構成された壁体部材８は、ねじ８ａを用いてランプハウジング４に対して固定される。
【００５１】
壁体部材８がランプハウジング４に取り付けられたときのランプユニット２の下面図を図１１に示す。また、図１１におけるランプハウジング４及び壁体部材８のＡ−Ａ線矢視断面図を図１２に示す。
【００５２】
図１１に示すように、ランプ３の後側端部において露出している発光管３１からの光がケーブル３６に照射されないように、壁体部材８を覆っている。前後方向に延びる壁部８１の前端８１ａは、ケーブル３６に光が照射されないように、ランプハウジング４の内部において露出する発光管３１よりも前方に位置している。
【００５３】
また、図１２に示すように、壁体部材８の下側端部に設けられた鉤状の掛止部８２は、ランプハウジング４の下側端部に設けられている溝４１ｄに引っ掛けられる。また、壁体部材８の上側端部に設けられた突起８５は、ランプハウジング４に設けられている開口４３ｃに差し込まれている。このようにしてランプハウジング４に取り付けられている壁体部材８が、下方から開口４３ｃを覆うとともに、左方から開口４１ｃを覆っている。
【００５４】
上下方向に延びる壁部８１は、ランプハウジング４の内部の空間を、左右方向において区切っている。そして、左右方向に平行な断面において、壁体部材８の壁部８１よりも右側の空間にケーブル３６が設けられて、壁体部材８の壁部８１よりも左側の空間に発光管３１が設けられている。このように、ランプハウジング４と発光管３１との間の空間が、壁体部材８によって区切られて、ケーブル３６が、壁体部材８とランプハウジング４の内壁との間の空間に設けられている。
【００５５】
以上のように構成されたランプユニット２を備えるプロジェクタ１は、ランプ３を用いて映像を表示する。具体的には、例えば、液晶パネルを備えたプロジェクタ１は、ランプ３が発した光を液晶パネルに透過させることにより映像を生成するとともに、この映像をスクリーン等に投写して表示する。ランプ３の寿命が尽きて点灯できなくなったときには、ランプユニット２を交換することにより、点灯可能なランプ３に交換される。
【００５６】
また、本実施形態においては、図１３に示すように、図１に示す筐体１０の内部において、ランプユニット２の下方にファン９が設けられている。このファン９が駆動することによって、筐体１０の内部において気流が生じる。図１３において一点鎖線の矢印は、ファン９により生じる気流を示している。
【００５７】
ファン９が駆動することにより、ランプハウジング４の内部が負圧となって、開口４３ｃを通してランプハウジング４の外部から内部に気体が流入する。そして、この気体が、壁体部材８に沿って流れることにより、ケーブル３６を積極的に冷却する気流が生じる。
【００５８】
また、ファン９は、ケーブル３６を冷却するためだけに駆動されるものではない。即ち、ファン９は、ランプ３内に流入した冷却風を、ランプ３の下側端部に設けられた通気口３５を通してランプ３外に積極的に流出させる。さらに、開口４３ｃを通してランプハウジング４の外部から内部に流入した気体は、その一部がランプ３の後側端部を冷却するようにも流れる。このとき、壁体部材８はランプハウジング４の内部においてランプ３が設けられる空間を形成するものであるため、壁体部材８は、ランプ３の冷却効率の向上に寄与する。
【００５９】
本実施形態によれば、以下の効果を得ることができる。
（１）ランプユニット２は、発光管３１を含むランプ３と、ランプ３に電力を供給するためにランプ３に接続されたケーブル３６と、ケーブル３６に取り付けられているコネクタ３７と、ランプ３及びコネクタ３７が設けられるランプホルダであるランプハウジング４とを備えている。そして、ランプハウジング４と発光管３１との間の空間を区切る壁体部材８が設けられ、ケーブル３６が、壁体部材８とランプハウジング４との間の空間に設けられている。従って、壁体部材８により、発光管３１が発する熱及び紫外線に起因するケーブル３６の劣化を抑制することができ、かつ、ケーブル３６が発光管３１に接触しないようにすることができる。
【００６０】
（２）ランプハウジング４に対して着脱可能な壁体部材８が、ランプハウジング４に対して固定されている。このため、壁体部材８がランプハウジング４から取り外されないようにすることができる。
【００６１】
（３）ランプハウジング４に対して着脱可能な壁体部材８が、ランプハウジング４に対してねじ８ａを用いて固定されている。このため、ランプハウジング４に壁体部材８を強固に固定することができる。また、ねじ８ａを外すことにより、ランプハウジング４から壁体部材８を取り外すことができる。
【００６２】
（４）ランプ３が内部に収容されるランプハウジング４には、ランプハウジング４を貫通する開口４１ｃ，４３ｃが設けられ、壁体部材８により、開口４１ｃ，４３ｃが覆われている。このため、発光管３１が発した光が、開口４１ｃ，４３ｃを通してランプハウジング４の内部から外部に漏れることを抑制することができる。
【００６３】
（５）投写型映像表示装置であるプロジェクタ１は、ランプユニット２を備え、ランプ３を映像表示用の光源として用いる。このため、ランプ３の寿命が尽きて点灯ができなくなったときには、ランプユニット２を交換することにより、点灯可能なランプ３に交換することができる。
【００６４】
（６）プロジェクタ１は、気流を生じさせるファン９を備え、壁体部材８が、ファン９により生じる気流の流路を形成する。このため、壁体部材８が設けられていない場合に比べて、ケーブル３６を効果的に冷却することができる。特に、本実施形態においては、ランプハウジング４に開口４３ｃが設けられている。そして、ランプハウジング４の内部は高温であるため、開口４３ｃを通してランプハウジング４の外部から内部に気体を流入させることにより、ケーブル３６をより効果的に冷却することができる。
【００６５】
（７）壁体部材８はランプハウジング４の内部においてランプ３が設けられる空間を形成するものであって、壁体部材８がランプ３の冷却効率を向上させるものであるため、壁体部材８がランプハウジング４に設けられていない場合に比べて、ランプ３を効果的に冷却することができる。
【００６６】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００６７】
・例えば図１４に示すように、壁体部材８の形状を適宜変更してもよい。図１４に示す壁体部材８は、鉤状の掛止部８２に代えて突起８７を有するとともに、突起８５に代えて鉤状の掛止部８８を有している。このような壁体部材８であっても、上記実施形態と同様にして、ランプハウジング４に壁体部材８を設けることができる。
【００６８】
さらに、図１５に示すように、ランプハウジング４の形状を適宜変更してもよい。図１５に示す右側壁部４１には、図１２に示す溝４１ｄに代えて、ランプハウジング４を貫通する貫通孔４１ｅが設けられている。また、図１５においては、貫通孔４１ｅに上記変形例に係る突起８７が差し込まれるとともに、開口４３ｃに上記変形例に係る掛止部８８が引っ掛けられている。
【００６９】
即ち、ランプハウジング４に対する壁体部材８を取り付けるための構造は適宜変更してもよい。また、ランプハウジング４に対して壁体部材８を固定することができるのであれば、ねじ８ａを用いなくてもよい。
【００７０】
・上記実施形態においては、発光管３１が発した光がランプハウジング４外部に漏れることを防止するために、壁体部材８が開口４１ｃ，４３ｃを覆っていたが、発光管３１が発した光がランプハウジング４の外部に漏れることを抑制できるのであれば、壁体部材８は、ランプハウジング４に形成された開口の一部を覆うものであってもよい。
【００７１】
・発光管３１が発する熱及び紫外線に起因するケーブル３６の劣化を抑制することができ、かつ、ケーブル３６が発光管３１に接触しないようにすることができるのであれば、壁体部材８の形状を適宜変更してもよい。即ち、壁体部材８の形状を、例えば、ランプハウジング４の内部における発光管３１の位置、ランプハウジング４の形状、コネクタ３７が設けられる位置、ランプハウジング４に設けられる開口の位置に応じて変更してもよい。
【００７２】
・上記実施形態においては、ランプ３及びコネクタ３７が設けられるランプホルダは、ランプ３を内部に収容する箱形のランプハウジング４であったが、ランプホルダは箱形に限定されない。即ち、ランプホルダは、ランプ３を収容するものでなくてもよい。
【００７３】
・投写型映像表示装置は、液晶パネルに光を透過させることにより映像を生成するプロジェクタ１に限定されない。例えば、ＤＭＤ（Digital Micromirror Device）を用いて光を選択的に反射させることにより映像を生成するプロジェクタに本発明を適用することもできる。
【符号の説明】
【００７４】
１…プロジェクタ（投写型映像表示装置）、２…ランプユニット、３…ランプ、４…ランプハウジング（ランプホルダ）、５…外枠部材、７…ランプ保持用金具、８…壁体部材、８ａ…ねじ、９…ファン、１０…筐体、３１…発光管、３２…リフレクタ、３３…発光管支持部材、３４…カバーガラス、３５…通気口、３６…ケーブル、３７…コネクタ、３７ａ…ねじ、４１…右側壁部、４１ｃ…開口、４１ｄ…溝、４１ｅ…貫通孔、４２…右側壁部、４３…上側壁部、４３ｃ…開口、４３ｄ…ねじ穴、４４…後側壁部、４５…前側壁部、４６…コネクタ固定部、４７…基板載置部、８１…壁部、８１ａ…前端、８２…掛止部、８３…当接部、８４…貫通孔、８５…突起、８６…掛止突起、８７…突起、８８…掛止部。
【図１】
2012083622.tif 000003
【図２】
2012083622.tif 000004
【図３】
2012083622.tif 000005
【図４】
2012083622.tif 000006
【図５】
2012083622.tif 000007
【図６】
2012083622.tif 000008
【図７】
2012083622.tif 000009
【図８】
2012083622.tif 000010
【図９】
2012083622.tif 000011
【図１０】
2012083622.tif 000012
【図１１】
2012083622.tif 000013
【図１２】
2012083622.tif 000014
【図１３】
2012083622.tif 000015
【図１４】
2012083622.tif 000016
【図１５】
2012083622.tif 000017